(57)【要約】【課題】プロジェクターをあおり投写したときに生じる台形歪を補正する際に、ＯＳＤ画像データの画素の間引きを低減し、文字を見やすくできるプロジェクター、及びプロジェクターの制御方法を提供する。【解決手段】画像投写手段１０と、入力画像データの台形歪を補正する第１台形歪補正手段４１と、ＯＳＤ画像データの台形歪を補正する第２台形歪補正手段４２とを備えたプロジェクター１において、第２台形歪補正手段４２は、ＯＳＤ画像データを、補正後の入力画像データの投写領域に収まるように配置し、さらに、ＯＳＤ画像データを一方向にのみ縮小させる。【選択図】図４
2013125055.tif 000002
【特許請求の範囲】
【請求項１】
画像入力端子に入力される画像信号に基づいた入力画像データを生成する画像信号処理手段と、
ＯＳＤメニューに対応したＯＳＤ画像データを生成するＯＳＤ処理手段と、
前記入力画像データと前記ＯＳＤ画像データを合成して画像情報を生成する画像合成手段と、
光源から射出された光を前記画像情報に応じて光変調装置で変調し、前記変調された画像を被投写面に投写する画像投写手段と、
台形歪を補正するために、
前記入力画像データを補正する第１台形歪補正手段と、
前記ＯＳＤ画像データを補正する第２台形歪補正手段と、
を備え、
前記第２台形歪補正手段は、前記ＯＳＤ画像データを、補正後の入力画像データの投写領域に収まるように配置し、さらに、ＯＳＤ画像データを一方向にのみ縮小させて補正する、ことを特徴とする、プロジェクター。
【請求項２】
請求項１に記載のプロジェクターにおいて、
前記第２台形歪補正手段は、前記ＯＳＤ画像データを、あおり投写を行う場合のあおり方向と直交する方向にのみ縮小させる、ことを特徴とする、プロジェクター。
【請求項３】
光源から射出された光を画像情報に応じて光変調装置で変調し、前記変調された画像を被投写面に投写する画像投写手段と、
画像入力端子に入力される画像信号に基づいた入力画像データを生成する画像信号処理手段と、
ＯＳＤメニューに対応したＯＳＤ画像データを生成する、ＯＳＤ処理手段と、
を備えたプロジェクターの制御方法であって、
前記入力画像データと前記ＯＳＤ画像データを合成して前記画像情報を生成する画像合成ステップと、
台形歪を補正するために、
前記入力画像データを補正する第１台形歪補正ステップと、
前記ＯＳＤ画像データを補正する第２台形歪補正ステップと、
を備え、
前記第２台形歪補正ステップは、前記ＯＳＤ画像データを、補正後の入力画像データの投写領域に収まるように配置し、さらに、ＯＳＤ画像データを一方向にのみ縮小させて補正する、ことを特徴とする、プロジェクターの制御方法。
【発明の詳細な説明】
【技術分野】
【０００１】
本発明は、画像を投写するプロジェクター、及びプロジェクターの制御方法に関する。
【背景技術】
【０００２】
多数の画素がマトリックス状に形成された光変調装置によって画像を形成し、この画像をスクリーン等に投写するプロジェクターにおいて、スクリーン等に対してプロジェクターを傾けた状態で投写（あおり投写）した場合に生じる投写画像の台形歪を補正可能なプロジェクターが知られている（例えば、特許文献１）。このようなプロジェクターでは、光変調装置で画像を形成する際に、投写画像の台形歪を相殺するように補正した画像を形成することによって、投写画像を正規の形状（矩形）で表示することが可能となっている。
【０００３】
例えば、プロジェクターより斜め上方に位置するスクリーンに対してあおり投写を行った場合の投写画像は、上底が下底よりも長い台形状になってしまうため、光変調装置で画像を形成する際には、上側ほど多くの画素を間引いて、上底が下底よりも短い台形状の画像を形成することにより、投写画像を矩形に補正することができる。また、台形状の画像形成時に水平画素ラインを間引き、画像の高さを縮小することで、補正後の投写画像の縦横比を維持することができる（以下、この補正を台形歪補正と言う）。
【０００４】
このような台形歪補正においては、あおり投写の投写角度が大きい場合（より上方に向けてあおる場合）、画像を形成する際の画素の間引き量が多くなる。特に画像の上側ほど画素の間引き量が多いので、ＯＳＤ（オンスクリーンディスプレイ）などの文字画像の場合、画素が少なくなるために文字がつぶれ、見にくくなるという問題があった。
【０００５】
特許文献１のプロジェクターでは、メニュー画像の表示位置を台形歪補正処理の補正方向と補正量に応じて変更し、台形歪補正後の入力画像の表示位置に収まるように制御する。このプロジェクターによれば、メニューの文字情報部分は台形歪補正を行わないので、画素の欠落が発生するのを防止することができる。
【先行技術文献】
【特許文献】
【０００６】
【特許文献１】特許第４０７９１６３号公報
【発明の概要】
【発明が解決しようとする課題】
【０００７】
しかしながら、特許文献１のプロジェクターではメニュー画像自体は台形歪補正処理を行わないので、台形歪補正後の入力画像と合成して、スクリーンに投写した場合、メニュー文字列が歪んでしまい、見にくくなってしまうという問題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係るプロジェクターは、画像入力端子に入力される画像信号に基づいた入力画像データを生成する画像信号処理手段と、ＯＳＤメニューに対応したＯＳＤ画像データを生成するＯＳＤ処理手段と、前記入力画像データと前記ＯＳＤ画像データを合成して画像情報を生成する画像合成手段と、光源から射出された光を前記画像情報に応じて光変調装置で変調し、前記変調された画像を被投写面に投写する画像投写手段と台形歪を補正するために、前記入力画像データを補正する第１台形歪補正手段と、前記ＯＳＤ画像データを補正する第２台形歪補正手段と、を備え、前記第２台形歪補正手段は、前記ＯＳＤ画像データを、補正後の入力画像データの投写領域に収まるように配置し、さらに、ＯＳＤ画像データを一方向にのみ縮小させて補正する、ことを特徴とする。
【００１０】
本適用例によれば、プロジェクターより投写される画像の台形歪の補正を行う際、ＯＳＤ画像データを一方向にのみ縮小させる。このことにより、文字画像データからの画素の間引きを最小限に抑えることができ、画像を台形歪補正することによって、投写される画像のＯＳＤメニュー文字が見えにくくなることを防止することが可能となる。
【００１１】
［適用例２］上記適用例に記載のプロジェクターにおいて、前記第２台形歪補正手段は、前記ＯＳＤ画像データを、あおり投写を行う場合のあおり方向と直交する方向にのみ縮小させることを特徴とする。
【００１２】
本適用例によれば、プロジェクターのあおり投写で生じる台形歪の補正を行う際、ＯＳＤ画像データをあおり方向と直交する方向にのみ縮小させる。このことにより、あおり方向の画素が間引かれないので、文字の見易さを損なうことなく、文字の台形歪の補正をすることが可能となる。
【００１３】
［適用例３］本適用例に係るプロジェクターの制御方法は、光源から射出された光を画像情報に応じて光変調装置で変調し、前記変調された画像を被投写面に投写する画像投写手段と、画像入力端子に入力される画像信号に基づいた入力画像データを生成する画像信号処理手段と、ＯＳＤメニューに対応したＯＳＤ画像データを生成する、ＯＳＤ処理手段と、を備えたプロジェクターの制御方法であって、前記入力画像データと前記ＯＳＤ画像データを合成して前記画像情報を生成する画像合成ステップと、台形歪を補正するために、前記入力画像データを補正する第１台形歪補正ステップと、前記ＯＳＤ画像データを補正する第２台形歪補正ステップと、を備え、前記第２台形歪補正ステップは、前記ＯＳＤ画像データを、補正後の入力画像データの投写領域に収まるように配置し、さらに、ＯＳＤ画像データを一方向にのみ縮小させて補正する、ことを特徴とする。
【００１４】
本適用例によれば、プロジェクターより投写される画像の台形歪の補正を行う際、ＯＳＤ画像データを一方向にのみ縮小させる。このことにより、文字画像データからの画素の間引きを最小限に抑えることができ、画像の台形歪補正によってＯＳＤメニュー文字が見えにくくなることを防止することが可能となる。
【図面の簡単な説明】
【００１５】
【図１】プロジェクターの回路構成を示すブロック図。
【図２】液晶ライトバルブを光入射面側から見た示す正面図。
【図３】台形歪を説明するための図であり、（ａ）は、液晶ライトバルブを光入射面側から見た正面図、（ｂ）は、プロジェクターを水平方向に投写する様子を示す側面図、（ｃ）は、スクリーンの投写画像を示す正面図、（ｄ）は、プロジェクターをあおり投写する様子を示す側面図、（ｅ）は、スクリーンの投写画像を示す正面図。
【図４】台形歪補正を説明するための図であり、（ａ）は、台形歪補正前の入力画像データ、およびＯＳＤ画像データを合成した画像情報を示す図、（ｂ）は、入力画像データの台形歪補正を示す図、（ｃ）は、台形歪補正前のＯＳＤ画像データを示す図、（ｄ）はＯＳＤ画像データブロックの配置移動後の状態を示す図、（ｅ）は、ＯＳＤ画像データの台形歪補正を示す図、（ｆ）は（ｂ）の入力画像データと（ｅ）のＯＳＤ画像データとを合成した画像情報を示す図、（ｇ）はスクリーンＳＣにあおり投写を行う場合の投写画像を示す正面図。
【図５】プロジェクターが台形歪補正操作を検出したときの動作を示すフローチャート。
【発明を実施するための形態】
【００１６】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１７】
（第１実施形態）
図１は、本実施形態のプロジェクター１の回路構成を示すブロック図である。
図１に示すように、プロジェクター１は、画像投写手段１０、制御手段２０、記憶手段２１、光源制御手段２５、入力操作手段２３、画像信号入力手段１８、画像信号処理手段１７、ＯＳＤ（オンスクリーンディスプレイ）処理手段１６、第１台形歪補正手段４１、第２台形歪補正手段４２、画像合成手段１９、電源端子３０、電源部３１等で構成されており、これらは図示しない筐体内部、及び外装部に備えられている。
【００１８】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、画像情報に応じて液晶ライトバルブ１２Ｒ，１２Ｇ，１２Ｂで変調し、変調された画像を投写レンズ１３から投写することによって、スクリーンＳＣの被投写面に投写画像を表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれの色光成分に対応する液晶ライトバルブ１２Ｒ，１２Ｇ，１２Ｂに入射する。
【００２０】
図２は、液晶ライトバルブ１２Ｒ，１２Ｇ，１２Ｂを光入射面側から見た正面図である。液晶ライトバルブ１２，１２Ｇ，１２Ｂは、一対の透明基板間に液晶が封入された液晶パネル等によって構成される。図２に示すように、液晶ライトバルブ１２Ｒ，１２Ｇ，１２Ｂの各透明基板は、矩形の領域（画素領域１２ａ）内において、複数の微小領域（画素１２ｐ）毎に、駆動電圧を印加可能な透明電極（画素電極）が、マトリックス状に形成されている。
【００２１】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素１２ｐ毎に合成されてカラーの画像光（画像）となった後、投写レンズ１３によってスクリーンＳＣに拡大投写され投写画像となる。
【００２２】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２３】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２４】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２６】
入力操作手段２３は、ユーザーがプロジェクター１に対して各種指示を行うための複数の操作キーを筐体の外装部に備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー、台形歪補正を行うための台形歪補正キー等がある。
【００２７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００２８】
光源制御手段２５は、制御手段２０の指示に基づいて、光源１１に対する電力の供給と停止とを制御し、光源１１の点灯、及び消灯を切り替える。
【００２９】
画像信号入力手段１８は、上述したように複数の画像入力端子を備えており、各画像入力端子より、ビデオ再生装置やパーソナルコンピューター等、外部機器から、図示しないケーブルなどを介して画像信号（画像情報ともいう）が入力される。なお、画像信号入力手段１８は、無線通信や光通信などの受信部を備え、外部機器から無線によって画像信号を入力する構成にしてもよい。
【００３０】
画像信号処理手段１７は、画像信号入力手段１８から入力される画像信号を、液晶ライトバルブ１２Ｒ，１２Ｇ，１２Ｂの各画素の階調を表す画像データに変換し、生成された入力画像データを、第１台形歪補正手段４１に出力する。
ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段１６は、制御手段２０の指示に基づいて、投写画像上に表示するための、メニュー画像やメッセージ画像等のＯＳＤ画像データを生成する。ＯＳＤ処理手段１６は、図示しないＯＳＤメモリーを備えており、ＯＳＤ画像を形成するための図形やフォント等を表すＯＳＤ画像情報を記憶している。
【００３２】
ＯＳＤ処理手段１６は、制御手段２０よりＯＳＤ画像の重畳表示を指示されると、必要なＯＳＤ画像情報をＯＳＤメモリーから読み出し、投写画像上の所定の位置にＯＳＤ画像が表示されるようにＯＳＤ画像データを生成する。生成されたＯＳＤ画像データは、第２台形歪補正手段４２に出力される。このＯＳＤ画像データには、表示する位置、サイズ情報が含まれる。
【００３３】
第１台形歪補正手段４１、及び第２台形歪補正手段４２は、スクリーンＳＣに対してプロジェクター１を上方に傾けた状態で画像を投写（あおり投写）する場合に、投写画像が傾斜方向（あおり方向）に拡大してしまう歪（台形歪）を抑制するために、入力される入力画像データ、及びＯＳＤ画像データの補正（台形歪補正）を行う。
【００３４】
第１台形歪補正手段４１は、第１画像記憶手段５１を備えている。第１画像記憶手段５１は、画像信号処理手段１７から入力される入力画像データの台形歪補正を行う。
第２台形歪補正手段４２は、第２画像記憶手段５２を備えている。第２画像記憶手段５２は、ＯＳＤ処理手段１６から入力されるＯＳＤ画像データの台形歪補正を行う。
第１画像記憶手段５１、及び第２画像記憶手段５２は液晶ライトバルブ１２Ｒ，１２Ｇ，１２Ｂと同じ解像度の画像データ領域を持つ。
【００３５】
入力操作手段２３から入力される台形歪補正指示の情報に基づいて、制御手段２０は、第１台形歪補正手段４１、及び第２台形歪補正手段４２に対して台形歪補正の実施を指示し、第１台形歪補正手段４１、及び第２台形歪補正手段４２は台形歪補正を実施する。
第１台形歪補正手段４１、及び第２台形歪補正手段４２で台形歪補正された、入力画像データ、及びＯＳＤ画像データは画像合成手段１９に出力される。
【００３６】
画像合成手段１９は、第１台形歪補正手段４１から入力された、台形歪補正された入力画像データに、第２台形歪補正手段４２から入力された、台形歪補正されたＯＳＤ画像データを重畳して合成し、画像情報を生成する。生成された画像情報は液晶駆動手段１４に出力される。
具体的には、画像合成手段１９は、第１画像記憶手段５１に保存されている、台形歪補正された入力画像データの対応する位置に、第２画像記憶手段５２に保存されている、台形歪補正されたＯＳＤ画像データの画素データを重畳させることで合成する。このとき、ＯＳＤ画像データの文字画素が存在しない部分は空白なので、入力画像データの画素がそのまま出力される。
このようにして合成され生成された画像情報は、液晶駆動手段１４に出力される。
【００３７】
台形歪補正とは、画像データから画素値の間引きを行って、傾斜方向に向かうほど投写画像を縮小させるものであり、第１台形歪補正手段４１、及び第２台形歪補正手段４２は、補正後の入力画像データ、及びＯＳＤ画像データを画像合成手段１９に出力し、画像合成手段１９で合成され生成された画像情報は液晶駆動手段１４に出力される。
なお、台形歪補正を行わない場合には、画像信号処理手段１７、及びＯＳＤ処理手段１６から出力される入力画像データ、及びＯＳＤ画像データが、そのまま画像合成手段１９に出力される。
【００３８】
液晶駆動手段１４が、画像合成手段１９より入力される画像情報、即ち画素１２ｐ毎の画素値に従って液晶ライトバルブ１２Ｒ，１２Ｇ，１２Ｂを駆動すると、画像情報に応じた画像が投写レンズ１３より投写され、スクリーンＳＣの被投写面に投写画像が表示される。
【００３９】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
次に、本実施形態の台形歪補正について、図３、及び図４を用いて説明する。
図３は、台形歪を説明するための説明図であり、入力画像データ、及びＯＳＤ画像データに対して台形歪補正を施していない状態を示す図である。
ここで、図３（ａ）は、液晶ライトバルブ１２Ｒ，１２Ｇ，１２Ｂを光入射面側から見た正面図であり、図３（ｂ）は、プロジェクター１が水平方向に投写する様子を示す側面図、図３（ｃ）は、そのときにスクリーンＳＣに表示される投写画像を示す正面図である。また、図３（ｄ）は、プロジェクター１を上方に傾けた状態であおり投写する様子を示す側面図であり、図３（ｅ）は、そのときにスクリーンＳＣに表示される投写画像を示す正面図である。
【００４１】
なお、図３（ａ）において、液晶ライトバルブ１２Ｒ，１２Ｇ，１２Ｂに向かって左右方向（水平方向の左右）を±ｘ方向、上下方向（垂直方向の上下）を±ｙ方向とし、図３（ｃ）、および（ｅ）において、スクリーンＳＣに向かって左右方向（水平方向の左右）を±Ｘ方向、上下方向（垂直方向の上下）を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４２】
図４は、本実施形態の台形歪補正を説明するための説明図であり、（ａ）は、台形歪補正前の入力画像データ、およびＯＳＤ画像データを合成した画像情報を示す図、（ｂ）は、入力画像データの台形歪補正を示す図、（ｃ）は、台形歪補正前のＯＳＤ画像データを示す図、（ｄ）はＯＳＤ画像データブロックの配置移動後の状態を示す図、（ｅ）は、ＯＳＤ画像データの台形歪補正を示す図、（ｆ）は（ｂ）の入力画像データと、（ｅ）のＯＳＤ画像データとを合成した画像情報を示す図、（ｇ）はスクリーンＳＣにあおり投写を行投写画像を示す正面図である。
なお、図４（ａ）〜（ｆ）は、第１画像記憶手段５１、または第２画像記憶手段５２の入力画像データ、及びＯＳＤ画像データを示す。
【００４３】
また、図３、及び図４において、画素領域１２ａや投写画像Ｇａ内に示した格子状の模様、および矩形線は、画素領域１２ａに形成された画像と、スクリーンＳＣに投写された投写画像Ｇａとの対応を示すために補助的に付加した線であり、実際にこのような模様を表示することを意味するものではない。
【００４４】
図３（ａ）に示すように、台形歪補正を行わない場合には、液晶ライトバルブ１２Ｒ，１２Ｇ，１２Ｂは、画像合成手段１９から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。
ここで、図３（ｂ），（ｃ）に示すように、プロジェクター１が水平に設置され、スクリーンＳＣに対して傾きのない水平方向に投写を行う場合には、スクリーンＳＣに表示される投写画像Ｇａ（入力画像Ｇｉ）は、画素領域１２ａと同じ矩形状となる。
【００４５】
一方、図３（ｄ），（ｅ）に示すように、プロジェクター１をスクリーンＳＣに対して傾けて設置し、上方（＋Ｙ方向）に向けてあおり投写を行う場合には、スクリーンＳＣに表示される投写画像Ｇａは、傾斜方向（＋Ｙ方向）に向かうほど、±Ｘ方向及び＋Ｙ方向に拡大されて台形状に歪む。
本実施形態では、このように＋Ｙ方向（垂直方向）のあおり投写を行った場合の台形歪補正について記載する。
【００４６】
最初に、入力画像データの台形歪補正について説明する。なお、図４（ａ）から図（ｆ）は第１画像記憶手段５１、及び第２画像記憶手段５２に展開された画像を示す。
図４（ａ）は台形歪補正を行う前の、第１画像記憶手段５１に保存されている入力画像データと第２画像記憶手段５２に記憶されているＯＳＤ画像データを合成した画像情報である。ＯＳＤ画像データは第１文字列エリアＡ１、第２文字列エリアＡ２、第３文字列エリアＡ３に文字列画像データを持つ。
【００４７】
第１台形歪補正手段４１は、画像信号処理手段１７から入力される入力画像データから画素値の間引きを行い、あおり投写を行った場合と逆台形、即ち投写画像Ｇａがあおり方向に向かうほど縮小する台形形状になるように補正する。
【００４８】
具体的には、図４（ｂ）に示すように、第１画像記憶手段５１に、補正を行わない投写画像Ｇａ（図３（ｅ）参照）を、水平方向を軸に上下反転させた逆台形、即ちあおり方向（＋ｙ方向）に向かうほど横幅（±ｘ方向の幅）が縮小する台形形状の画像形成領域Ｇ０を設定する。画像形成領域Ｇ０は補正後の入力画像データの投写領域に相当する。
次に、入力画像データから、あおり投写による拡大の程度が高い位置ほど多くの画素値を間引くことにより、この画像形成領域Ｇ０内に入力画像Ｇ１を形成する。さらに、補正後の投写画像Ｇａのアスペクト比が、補正を行わない投写画像Ｇａ（図３（ｅ）参照）と同じになるように画像形成領域Ｇ０を垂直方向（±ｙ方向）に縮小する。この結果、画像形成領域Ｇ０の高さは高さｈ１になる。
【００４９】
また、第１台形歪補正手段４１は、画像形成領域Ｇ０の外側の領域Ｂ０に含まれる画素データの光透過率が最小となるように入力画像データを補正する。以上の処理により、台形歪補正後の入力画像データが、画像形成領域Ｇ０と外側の領域Ｂ０に形成される。
【００５０】
次に、ＯＳＤ画像データの台形歪補正について説明する。
図４（ｃ）は第２画像記憶手段５２のＯＳＤ画像データを示す。図４（ｂ）において入力画像データの台形歪補正を行った結果、入力画像データの画像形成領域Ｇ０の高さは縮小され、高さｈ１になっている。このため、ＯＳＤ画像データの第１エリアＡ１が画像形成領域Ｇ０の外にはみ出ている。
【００５１】
そこで、第２台形歪補正手段４２は、ＯＳＤ画像データの第１文字列エリアＡ１、及び第２文字列エリアＡ２を下方に移動し、補正後のＯＳＤ画像データが、画像形成領域Ｇ０の範囲内に収まるように配置を換える。
配置変更後の第２画像記憶手段５２のＯＳＤ画像データは図４（ｄ）のようになり、第１文字列エリアＡ１、第２文字列エリアＡ２、第３文字列エリアＡ３の垂直方向の間隔が狭くなっている。
【００５２】
次に第２台形歪補正手段４２は、第２画像記憶手段５２のＯＳＤ画像データから画素値の間引きを行い、あおり投写を行った場合と逆台形、即ち投写画像Ｇａがあおり方向（＋ｙ方向）に向かうほど縮小する台形形状になるように補正する。第２画像記憶手段５２の補正後のＯＳＤ画像Ｇ２を図４（ｅ）に示す。ＯＳＤ画像Ｇ２は、第１文字エリアＡ１、第２文字エリアＡ２、第３文字エリアＡ３に周辺の空白領域を含んだ画像である。
【００５３】
上述した、第１台形歪補正手段４１、及び第２台形歪補正手段４２による台形歪補正の結果、第１画像記憶手段５１の補正後の入力画像データと、第２画像記憶手段５２の補正後のＯＳＤ画像データとを合成した画像情報を図４（ｆ）に示す。
画像合成手段１９によって、図４（ｆ）に示す画像情報が生成されて、液晶ライトバルブ１２Ｒ，Ｇ，Ｂに出力される。
【００５４】
以上の結果、図４（ｇ）に示すように、あおり投写により発生する歪みが、入力画像Ｇ１、およびＯＳＤ画像Ｇ２で補正されるとともに、領域Ｂ０に対応する投写画像Ｇａ内の領域Ｇ３には光がほとんど照射されないことから、入力画像Ｇ１は、正規の形状（矩形状）でスクリーンＳＣに表示される。また、ＯＳＤ画像データの第１文字列エリアＡ１、第２文字列エリアＡ２、第３文字列エリアＡ３、は垂直方向の画素間引きを行っていないので、台形歪補正を行わない投写画像Ｇａ（図３（ｅ）参照）に比べ、垂直方向が長く、文字の見易さを損なわない投写画像が表示される。
【００５５】
次に、本実施形態のプロジェクター１の動作を図５のフローチャートを用いて説明する。
図５はプロジェクター１が投写中に台形歪補正操作を検出したときの動作を示すフローチャートである。
【００５６】
図５に示すように、プロジェクター１が入力操作手段２３の入力操作により台形歪補正操作を検出すると（ステップＳ１０１）、ステップＳ１０２に遷移する。
【００５７】
ステップＳ１０２において第１台形歪補正手段４１は、制御手段２０の指示に従い、画像信号処理手段１７から入力される入力画像データを第１画像記憶手段５１に取り込み、制御手段２０により指定された台形歪補正量で台形歪補正処理を行う。次にステップＳ１０３に遷移する。ステップＳ１０２が第１台形歪補正ステップに相当する。
【００５８】
ステップＳ１０３において制御手段２０は、ＯＳＤ表示をするか否か調べる。ＯＳＤ表示をする場合（ステップＳ１０３：Ｙ）、ステップＳ１０４に遷移する。ＯＳＤ表示をしない場合（ステップＳ１０３：Ｎ）、ステップＳ１０８に遷移する。
【００５９】
ステップＳ１０４においてＯＳＤ処理手段１６は、制御手段２０により指定されたＯＳＤ画像データを第２画像記憶手段５２に生成し、ステップＳ１０５に遷移する。
【００６０】
ステップＳ１０５において第２台形歪補正手段４２は、第２画像記憶手段５２のＯＳＤ画像データの高さが、ステップＳ１０２において台形歪補正された第１画像記憶手段５１の入力画像データ（補正後の入力画像データ）の高さより大きいか否かを調べる。ＯＳＤ画像データの高さが、補正後の入力画像データの高さより大きい場合（ステップＳ１０５：Ｙ）、ステップＳ１０６に遷移する。ＯＳＤ画像データの高さが、補正後の入力画像データの高さ以下の場合（ステップＳ１０５：Ｎ）、ステップＳ１０７に遷移する。
【００６１】
ステップＳ１０６において第２台形歪補正手段４２は、第２画像記憶手段５２のＯＳＤ画像データの高さが、補正後の入力画像データの高さ以下になるように、言い換えると、補正後の入力画像データの投写領域に収まるように、第２画像記憶手段５２のＯＳＤ画像データの配置を変更する（図４（ｄ）参照）。次にステップＳ１０７に遷移する。
【００６２】
ステップＳ１０７において第２台形歪補正手段４２は、第２画像記憶手段５２のＯＳＤ画像データをあおり方向と直交する方向（±ｘ方向）にのみ縮小するように台形歪補正し（図４（ｅ）参照）、ステップＳ１０８に遷移する。ステップＳ１０５からステップＳ１０７が第２台形歪補正ステップに相当する。
【００６３】
ステップＳ１０８において画像合成手段１９は、第１画像記憶手段５１の補正後の入力画像データに第２画像記憶手段５２の補正後のＯＳＤ画像データを重畳し、合成して画像情報を生成する。生成した画像情報を液晶ライトバルブ１２Ｒ，１２Ｇ，１２Ｂに出力する。ステップＳ１０８が画像合成ステップに相当する。
【００６４】
ステップＳ１０９において制御手段２０は、画像投写手段１０により、液晶ライトバルブ１２Ｒ，１２Ｇ，１２Ｂで画像情報に応じて変調した画像を被投写面ＳＣに投写させ、ステップＳ１１１０に遷移する。
【００６５】
ステップＳ１１０において、本動作フローを終了する。
【００６６】
以上、説明したように、本実施形態のプロジェクター１によれば、投写される画像の台形歪補正を行う際、ＯＳＤ画像データを一方向にのみ縮小させるので、文字画像データからの画素の間引きを最小限に抑えることができ、画像の台形歪補正によってＯＳＤメニュー文字が見えにくくなることを防止することが可能となる。
また、プロジェクター１のあおり投写で生じる台形歪の補正を行う際、ＯＳＤ画像データをあおり方向と直交する方向にのみ縮小させ、あおり方向の画素が間引かないので、文字の見易さを損なうことなく、文字の台形歪補正をすることが可能となる。
【００６７】
また、上記実施形態は、以下のように変更してもよい。
（変形例１）
上述した実施形態ではプロジェクター１を垂直方向（＋Ｙ方向）に傾けて設置して台形歪補正を実行するものとしたが、他の方向（−Ｙ方向、±Ｘ方向（水平方向））に傾けて設置して台形歪補正を行うものとしてもよい。±Ｘ方向（水平方向）に傾けて設置し台形歪補正を行う場合には、第２台形歪補正手段は、ＯＳＤ画像データをあおり方向と並行する方向にのみ縮小させることで、文字の台形歪補正をすることが可能となる。
【００６８】
（変形例２）
上述した実施形態では、手動操作により台形歪補正操作を実行するが、加速度センサーなどを用いた角度検出手段を備え、検出した角度に応じて自動的に台形歪補正を実行するようにしてもよい。
【符号の説明】
【００６９】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、１９…画像合成手段、２０…制御手段、２１…記憶手段、２３…入力操作手段、２５…光源制御手段、３０…電源端子、３１…電源部、４１…第１台形歪補正手段、４２…第２台形歪補正手段、５１…第１画像記憶手段、５２…第２画像記憶手段。
【図１】
2013125055.tif 000003
【図２】
2013125055.tif 000004
【図３】
2013125055.tif 000005
【図４】
2013125055.tif 000006
【図５】
2013125055.tif 000007